(57)【要約】【課題】内蔵マイクとマイクジャックを装備した電子機器において、内蔵マイクと外部マイクの音声入力を切り換えるために外部マイクのプラグを抜き差しするわずらわしさを解消し、外部マイクの手元で簡単に音声入力を切り換えることを目的とする。【解決手段】ビデオカメラ１１の音声入力の切換を外部マイク１２に設けた操作釦１２ｂで制御することにより、マイクプラグ１２ａをマイクジャック１１ｂに接続したままで内蔵マイク１２ａと外部マイク１２の音声入力が切り換えできる。【選択図】  図１
2004222131.tif 000002
【特許請求の範囲】
【請求項１】
内蔵マイクからの音声信号と、外部マイクを接続し前記外部マイクからの音声信号とを選択的に入力可能な音声入力装置であって、操作手段を装備した外部マイクを接続した状態で、前記操作手段を操作したときには前記外部マイクを選択し、前記操作手段を操作していないときには前記内蔵マイクを選択する入力切換手段を備えたことを特徴とする音声入力装置。
【請求項２】
内蔵マイクからの音声信号と、外部マイクを接続し前記外部マイクからの音声信号とを選択的に入力可能な音声入力装置であって、動作のＯＮ／ＯＦＦを切換可能な操作手段を装備した外部マイクを着脱可能なマイクジャックと、前記外部マイクが前記マイクジャックに接続された状態で前記操作手段のＯＮ／ＯＦＦ状態を識別する識別手段と、前記識別手段の識別結果に基づき前記外部マイクと前記内蔵マイクのいずれか一方を選択する入力切換手段とを備え、前記入力切換手段は、前記外部マイクを前記マイクジャックに接続した状態で、前記操作手段がＯＮ状態のときには前記外部マイクを選択し、前記操作手段がＯＦＦ状態のときには前記内蔵マイクを選択することを特徴とする音声入力装置。
【請求項３】
外部マイクのマイクプラグは４極ミニプラグで、第１端子および第２端子を音声端子、第３端子をアース端子とし、第４端子は識別端子として抵抗器とスイッチを介してアースに接続され、一方マイクジャックは４極ミニジャックを用いて、第１端子および第２端子を音声端子、第３端子をアースとし、第４端子は識別端子として抵抗器を介して直流電源に接続され、前記識別端子の電圧を識別することで前記マイクジャックへの接続の有無および前記外部マイクのスイッチの開閉状態を識別し、入力切換回路の内蔵マイクと外部マイクの切り換えの制御をすることを特徴とする請求項１及び２記載の音声入力装置。
【請求項４】
識別端子の電圧に応じて音声入力の状態を表示する表示手段を備えたことを特徴とする請求項３記載の音声入力装置。
【発明の詳細な説明】
【０００１】
【発明の属する技術分野】
本発明は、内蔵マイクと外部マイク用のマイクジャックを有する電子機器において内蔵マイクと外部マイクを切り換える音声入力装置に関するものである。
【０００２】
【従来の技術】
近年、マイクロホンを接続して音声入力を行う音声入力装置は、無線通信機、携帯電話、テープレコーダーなどの音響機器を始めとしてビデオカメラやパーソナルコンピューターなど多くの電子機器に搭載されている。そして、これら電子機器の中には内蔵マイクロホンも装備されているものもあり、外部マイクロホンを接続することで、内蔵マイクロホンと外部マイクロホンの動作切り換えを可能にしたものもある。内蔵／外部マイクロホンの切り換え技術に関するものとして、特開平９−１８２１８５号公報がある。
【０００３】
以下にビデオカメラの例を取り上げて従来の音声入力装置について説明する。
【０００４】
従来、ビデオカメラの音声入力装置としてはマイクジャックからのマイク音声入力が知られている。ビデオカメラと外部マイクの外観図を図１５および図１６に示す。図１５は従来の音声入力装置を備えたビデオカメラと外部マイクの外観図を示すものである。
【０００５】
図１５において、９１はビデオカメラである。９１ａはビデオカメラ９１に内蔵され音声を収音する内蔵マイク、９１ｂはビデオカメラ９１に設けられ後述する外部マイクを接続可能なマイクジャックである。９２は外部マイクである。９２ａは外部マイク９２をビデオカメラ９１のマイクジャック９１ｂに接続可能なマイクプラグである。図１６は外部マイクをビデオカメラに接続した状態を示す外観図である。
【０００６】
以上のように構成された従来の音声入力装置について、以下その動作について説明する。
【０００７】
まず、マイクジャック９１ｂに何も接続されていない図１５の状態ではビデオカメラの音声入力装置は内蔵マイク９１ａの音声を選択する。次にマイクジャック９１ｂに外部マイク９２のマイクプラグ９２ａが接続された図１６の状態ではビデオカメラ９１の音声入力装置は外部マイク９２の音声に切り換わる。
【０００８】
ビデオカメラ９１の音声入力装置の切り換えは、マイクジャック９１ｂにマイクプラグ９２ａが接続されているか否かに連動する。すなわち、使用者が内蔵マイク９１ａを使いたいのか外部マイク９２を使いたいのかは、マイクプラグ９２ａとマイクジャック９１ｂとの接続の有無で音声入力装置に情報を伝えることになる。
【０００９】
【特許文献１】
特開平９−１８２１８５号公報
【００１０】
【発明が解決しようとする課題】
しかしながら上記の従来の構成では、マイクプラグ９２ａがマイクジャック９１ｂに接続されると、ビデオカメラ９１内において音声入力が内蔵マイク９１ａから外部マイク９２に切り換わってしまうので、音声入力を外部マイク９２から内蔵マイク９１ａに切り換えたり、内蔵マイク９１ａから外部マイク９２に切り換えるためには、外部マイク９２のマイクプラグ９２ａをマイクジャック９１ｂに抜き差しする煩わしさがあるという問題点を有していた。
【００１１】
本発明は上記従来の問題点を解決するもので、外部マイクのマイクプラグをマイクジャックに接続したままの状態で内蔵マイクと外部マイクの切り換えを簡単な操作で可能にする音声入力装置を提供することを目的とする。
【００１２】
【課題を解決するための手段】
この目的を達成するために本発明の音声入力装置は、内蔵マイクからの音声信号と、外部マイクを接続し前記外部マイクからの音声信号とを選択的に入力可能な音声入力装置であって、操作手段を装備した外部マイクを接続した状態で、前記操作手段を操作したときには前記外部マイクを選択し、前記操作手段を操作していないときには前記内蔵マイクを選択する入力切換手段を備えた構成を有している。
【００１３】
この構成によって、外部マイクのマイクプラグをマイクジャックに接続したままで内蔵マイクと外部マイクとを切り換える音声入力装置が得られる。
【００１４】
【発明の実施の形態】
本発明の請求項１及び２に記載の発明は、内蔵マイクからの音声信号と、外部マイクを接続し前記外部マイクからの音声信号とを選択的に入力可能な音声入力装置であって、操作手段を装備した外部マイクを接続した状態で、前記操作手段を操作したときには前記外部マイクを選択し、前記操作手段を操作していないときには前記内蔵マイクを選択する入力切換手段を備えたものであり、外部マイクに装備した操作手段の操作で電子機器の音声入力を内蔵マイクあるいは外部マイクに切り換えるという作用を有する。
【００１５】
請求項３に記載の発明は、外部マイクのマイクプラグは４極ミニプラグで、第１端子および第２端子を音声端子、第３端子をアース端子とし、第４端子は識別端子として抵抗器とスイッチを介してアースに接続され、一方マイクジャックは４極ミニジャックを用いて、第１端子および第２端子を音声端子、第３端子をアースとし、第４端子は識別端子として抵抗器を介して直流電源に接続され、識別端子の電圧を識別することでマイクジャックへの接続の有無および外部マイクのスイッチの開閉状態を識別し、入力切換回路の内蔵マイクと外部マイクの切り換えの制御をするものであり、識別端子の電圧に応じて音声入力を内蔵マイクあるいは外部マイクに切り換えるという作用を有する。
【００１６】
請求項４に記載の発明は、請求項２記載の識別端子の電圧が所定の電圧のとき、外部マイクのスイッチの操作により切換回路が外部マイク選択になっていることを表示する装置を備えたことを特徴とするものであり、外部マイクのスイッチの操作状態を電子機器に表示するという作用を有する。
【００１７】
以下、本発明の実施の形態について、図面を用いて説明する。
【００１８】
（実施の形態１）
図１は本発明の実施の形態の音声入力装置を備えたビデオカメラと外部マイクの外観図である。図１において、１１は映像音声を記録再生可能なビデオカメラで、本実施の形態ではビデオカメラとしたが、内蔵マイクを有し外部マイクを接続可能な電子機器であればよい。１１ａはビデオカメラ１１に内蔵され音声を収音する内蔵マイク、１１ｂはビデオカメラ１１に設けられ後述する外部マイクを接続可能なマイクジャックである。
【００１９】
１２は音声を収音可能な外部マイク、１２ａは外部マイク１２のケーブル先端に設けられマイクジャック１１ｂに接続可能なマイクプラグで、マイクジャック１１ｂにマイクプラグ１２ａを接続することで、外部マイク１２で収音した音声をビデオカメラ１１に入力することができる。１２ｂはビデオカメラ１２の音声入力を切り換えるための操作手段である操作釦である。本実施の形態では、操作釦１２ｂは釦としたが、ＯＮ／ＯＦＦを切り換えることが可能なものであれば、レバーやスライドスイッチなどのような構成でもよい。
【００２０】
また、図２は図１の状態からビデオカメラに外部マイクを接続した状態を示す外観図である。
【００２１】
以上のように構成された本実施の形態のビデオカメラについて、図１および図２を用いてその動作を説明する。
【００２２】
まず、ビデオカメラ１１のマイクジャック１１ｂに何も接続されていない図１の状態のとき、ビデオカメラ１１を撮影状態にして被写体の映像音声の記録を開始すると、内蔵マイク１１ａがＯＮとなり、被写体の音声は内蔵マイク１１ａを介してビデオカメラ１１に入力される。
【００２３】
次に、図２に示すように、外部マイク１２を使って音声をビデオカメラ１１に入力する際は、まず外部マイク１２のマイクプラグ１２ａをビデオカメラ１１のマイクジャック１１ｂに挿入接続する。この時、外部マイク１２はＯＦＦ状態で音声の収音及び入力は行われておらず、内蔵マイク１１ａがＯＮのままとなっており、ビデオカメラ１１へは内蔵真マイク１１ａで収音した音声が入力されている。
【００２４】
次に、外部マイク１２に設けられた操作釦１２ｂを押すことで、外部マイク１２がＯＮ状態となり、音声の収音及び入力を開始する。外部マイク１２がＯＮになることで、内蔵マイク１１ａはＯＦＦ状態となる。すなわち、操作釦１２ｂを押していないときは内蔵マイク１１ａの音声信号を、操作釦１２ｂを押しているときは外部マイク１２の音声信号を、それぞれ入力するものである。
【００２５】
本実施の形態では、操作釦１２ｂを押している間だけ外部マイク１２からの音声を選択するようにしたが、内蔵マイク１１ａが選択された状態から、操作釦１２ｂを１回（短時間）押すことで外部マイク１２を選択した状態に切り替わり、もう１回押すことで内蔵マイク１１ａを選択した状態に切り替わる構成としてもよい。
【００２６】
以上のように本実施の形態によれば、外部マイク１２に操作釦１２ｂを設け、その操作釦１２ｂの操作状態で音声入力装置を切り換えることにより、外部マイク１２のマイクプラグ１２ａをマイクジャック１１ｂに接続したままで、音声入力を内蔵マイク１１ａあるいは外部マイク１２に切り換えることができる。
【００２７】
一般に、ビデオカメラ１１に装備される内蔵マイク１１ａには無指向性マイクロホンが用いられ、外部マイク１２には単一指向性マイクロホンが用いられる。したがって、内蔵マイク１１ａでは、撮影環境の周囲の音声を収音するのに好適で、外部マイク１２は特定の発話者の声を入力するのに好適である。例えば、運動会などの撮影を行う際、観客の歓声などを、臨場感を持たせて記録するには内蔵マイク１１ａを用いた方がよいが、撮影中に発話者（あるいは撮影者）が発話する解説などのナレーションを記録する際には外部マイク１２を用いる方がよい。本実施の形態では、このように周囲の音声を記録している途中で、ナレーションなどを記録する際に、外部マイク１２をビデオカメラ１１から着脱せずに外部マイク１２の操作釦１２ｂを操作するだけで、内蔵マイク１１ａと外部マイク１２とを切り換えることができるため、操作性が非常に優れたものである。
【００２８】
（実施の形態２）
次に、本発明の音声入力装置の実施の形態２を説明する。なお、本実施の形態は、前述の実施の形態１の具体構成を示している。
【００２９】
図３は本発明の音声入力装置のブロック図である。図３において、３１はマイクジャックで４極のミニジャックからなり、４極は３１ａ〜３１ｄの端子からなる。３１ａはステレオ音声の左側（Ｌｃｈ）の音声が入力される音声端子（左）、３１ｂはステレオ音声の右側（Ｒｃｈ）の音声が入力される音声端子（右）、３１ｃはアース端子、３１ｄは識別端子である。３２は識別手段である識別回路で、識別端子３１ｄを抵抗器Ｒ１で直流電源Ｖにプルアップし識別回路３２につないである。本実施の形態では、識別回路３２は入力される電圧値を検出し、その電圧値を「Ｈ」「Ｍ」「Ｌ」の３段階に分けて検出している。３３は識別回路３２からの制御によりマイクアンプ３４ａからの入力とマイクアンプ３４ｂからの入力とを切り換える入力切換手段である入力切換部、３４ａおよび３４ｂはマイクアンプで、マイクアンプ３４ａは内蔵マイク３５ａ及び３５ｂからの音声を増幅し、マイクアンプ３４ｂは外部マイクからマイクジャック３１を介して入力される音声を増幅する。３５ａはステレオ音声の左側（Ｌｃｈ）の音声が入力される内蔵マイク（左）、３５ｂはステレオ音声の右側（Ｒｃｈ）の音声が入力される内蔵マイク（右）である。
【００３０】
マイクアンプ３４ａは内蔵マイク３５ａおよび３５ｂ用のアンプであり、マイクアンプ３４ｂはマイクジャック３１に接続される外部マイク用のアンプである。マイクアンプ３４ａとマイクアンプ３４ｂの出力は入力切換部３３につないであり、入力切換部３３は識別回路３２で制御される。３６は表示手段である表示部で、識別回路３２の識別結果による入力切換の状態を表示するもので、一般的にはＬＥＤによる表示方法があるが、ビデオカメラなどであれば液晶モニター画面上への文字や記号の表示なども考えられる。３７は入力切換部３３で選択された音声を他の回路へ出力する出力端子である。
【００３１】
図４は本発明の音声入力装置に対応する外部マイクのブロック図である。図４において、４１はマイクプラグで、４１ａ〜４１ｄに示す４極のミニプラグからなり、４１ａはステレオ音声の左側（Ｌｃｈ）の音声が入力される音声端子（左）、４１ｂはステレオ音声の右側（Ｒｃｈ）の音声が入力される音声端子（右）、４１ｃはアース端子、４１ｄは識別端子である。識別端子４１ｄは抵抗器Ｒ２およびスイッチＳＷを介してアース端子４１ｃにつながる。抵抗器Ｒ２の抵抗値は抵抗器Ｒ１と同じ抵抗値にする。４２ａはステレオ音声の左側（Ｌｃｈ）の音声が入力される外部マイク（左）、４２ｂはステレオ音声の右側（Ｒｃｈ）の音声が入力される外部マイク（右）で、それぞれ音声端子（左）４１ａおよび音声端子（右）４１ｂに接続されている。スイッチＳＷは図１及び図２における操作釦１２ｂに相当する。
【００３２】
図５は従来の外部マイクのブロック図である。図５において、５１はマイクプラグで５１ａ〜５１ｃに示す３極のミニプラグからなり、５１ａはステレオ音声の左側（Ｌｃｈ）の音声が入力される音声端子（左）、５１ｂはステレオ音声の右側（Ｒｃｈ）の音声が入力される音声端子（右）、５１ｃはアース端子である。５２ａはステレオ音声の左側（Ｌｃｈ）の音声が入力される外部マイク（左）、５２ｂはステレオ音声の右側（Ｒｃｈ）の音声が入力される外部マイク（右）で、それぞれ音声端子（左）５１ａおよび音声端子（右）５１ｂにつながる。このように従来のマイクプラグには、図４に示すような識別端子がない。
【００３３】
図６は図３の音声入力装置に図４の外部マイクを接続したときのブロック図である。マイクプラグ４１の音声端子（左）４１ａと音声端子（右）４１ｂとアース端子４１ｃと識別端子４１ｄは、それぞれマイクジャック３１の音声端子（左）３１ａと音声端子（右）３１ｂとアース端子３１ｃと識別端子３１ｄに接触し、電気的接続がなされている。
【００３４】
図７は図３の音声入力装置に図５の外部マイクを接続したときのブロック図である。マイクプラグ５１の音声端子（左）５１ａおよび音声端子（右）５１ｂおよびアース端子５１ｃは、それぞれマイクジャック３１の音声端子（左）３１ａおよび音声端子（右）３１ｂおよびアース端子３１ｃに接触する。なお、アース端子５１ｃは識別端子３１ｄにも接触する。
【００３５】
図８は識別回路の結果による切換動作を説明するための論理表である。表の中で「外部マイク１」とは図４に示す本発明の音声入力装置に対応した外部マイクを意味し、「外部マイク２」とは図５に示す従来の外部マイクを意味する。
【００３６】
以上のように構成された本実施の形態の音声入力装置について、以下その動作を説明する。
【００３７】
まず、マイクジャック３１に何も接続されていない図３の状態から、ビデオカメラの電源を投入し撮影可能状態にすると、識別端子３１ｄの電圧は直流電源Ｖの電圧に等しくなる。この状態を識別回路３２で「Ｈ」と識別し、入力切換部３３を内蔵マイク３３ａ及び３３ｂ側に切り換える。すると、内蔵マイク３３ａ及び３３ｂで収音した音声がマイクアンプ３４ａで増幅され、入力切換部３３を介して出力端子３７から、他の回路へ出力される。
【００３８】
次に、マイクジャック３１に、図４に示す外部マイクが接続された時の動作を、図６を用いて説明する。
【００３９】
マイクプラグ４１がマイクジャック３１に接続された時の識別端子３１ｄの電圧には２つの場合がある。すなわち、スイッチＳＷが開いている場合（つまり、図１における操作釦１２ｂを押していない状態）は直流電源Ｖの電圧に等しくなる。この状態は識別回路３２で「Ｈ」と識別され、マイクジャック３１にマイクプラグ４１が接続されていても、入力切換部３３は、内蔵マイク３５ａ及び３５ｂのマイクアンプ３４ａ側を選択したままである。よって、内蔵マイク３５ａ及び３５ｂで収音した音声が、出力端子３７から出力される。
【００４０】
一方、スイッチＳＷが閉じている場合（つまり、図１における操作釦１２ｂを押した状態）は、抵抗器Ｒ１と抵抗器Ｒ２で直流電源Ｖの電圧を分圧した電圧になる。この状態を識別回路３２で「Ｍ」と識別され、この状態のとき初めて入力切換部３３を外部マイク４２ａ及び４２ｂのマイクアンプ３４ｂ側に切り換える。すると、外部マイク４２ａ及び４２ｂで収音した音声が、マイクプラグ４１及びマイクジャック３１を介してマイクアンプ３４ｂに入力される。マイクアンプ３４ｂで入力音声を増幅した後、入力切換部３３を介して出力端子３７から出力される。
【００４１】
次に、マイクジャック３１に、図５に示す外部マイクが接続された時の動作を、図７を用いて説明する。
【００４２】
図７に示す状態では、識別端子３１ｄはマイクプラグ５１のアース端子５１ｃと接触するので、識別端子３１ｄの電圧は０になる。この状態を識別回路３２で「Ｌ」と識別し、識別回路３２は入力切換部３３を外部マイク４２ａ及び４２ｂ側に切り換える。つまり、図５に示す外部マイクに対しては、従来通りマイクプラグ５１を接続するだけで、入力切換部３３を外部マイク４２ａ及び４２ｂ側に切り換え、外部マイク４２ａ及び４２ｂで収音した音声を、出力端子３７から出力することができる。
【００４３】
上記識別結果をまとめると図８に示す表のようになる。つまり、識別回路３２における識別結果が「Ｈ」のときは内蔵マイク、「Ｍ」のときは図４のマイクプラグに対応した外部マイクが接続された状態、「Ｌ」のときは図５のマイクプラグに対応した外部マイクが接続された状態を、それぞれ識別している。そして、その識別結果を、図８の「表示」に示している内容を、表示部３６に表示する。
【００４４】
以上のように本実施の形態によれば、４極ミニプラグおよび４極ミニジャックのうち１つの端子を識別端子３１ｄ及び４１ｄとし、識別端子４１ｄに抵抗器Ｒ２をつないでおき、外部マイクのスイッチＳＷの開閉で識別端子３１ｄの電圧を変え、その電圧を識別して音声入力を切り換える入力切換を設けることにより、外部マイクのマイクプラグをマイクジャックに接続したままで、外部マイクに装備したスイッチＳＷを操作することで音声入力を内蔵マイクあるいは外部マイクに切り換えることができる。
【００４５】
また、識別結果に対応した表示をする表示部３６を設けることにより、内蔵マイク／図４の外部マイク／図５の外部マイクのうち、選択されているマイクを使用者に知らせることができる。
【００４６】
なお、以上の説明では抵抗器Ｒ１と抵抗器Ｒ２の抵抗値は同じ値としたが、識別回路で３値の識別ができる適当な値に変えても構わない。
【００４７】
また、識別端子３１ｄの電圧の識別は３値の論理としたが、表示部３６に音声入力の切換状態を表示する必要がなければ２値の論理としてもよく、この場合外部マイクの抵抗器Ｒ２は省略して短絡しておくことができる。
【００４８】
（実施の形態３）
次に、本発明の音声入力装置の実施の形態３について説明する。なお、本実施の形態は、前述の実施の形態１の具体構成を示している。
【００４９】
図９は本発明の音声入力装置に対応する外部マイクのブロック図である。図４との相違点は、スイッチＳＷと直列な抵抗器Ｒ２の代わりにスイッチＳＷに並列に抵抗器Ｒ３を設けた点で、他は全く同じである。図１０は図３の本発明の音声入力装置に図９の外部マイクを接続したときのブロック図である。図１１は識別回路の結果による切換動作を説明するための論理表である。
【００５０】
以上のように構成された本実施の形態の音声入力装置について、以下その動作を説明する。
【００５１】
図６との相違点は、図４のマイクプラグ４１を有する外部マイクを接続した状態で、スイッチＳＷが開いているとき（ＯＦＦの時）に識別電圧は「Ｍ」となり、スイッチＳＷが閉じているとき（ＯＮの時）に識別電圧は「Ｌ」となる点である。
【００５２】
入力切換部３３は、は図１１の論理表に示すように、識別電圧が「Ｈ」（マイクプラグ未接続状態）と「Ｍ」（４極マイクプラグを接続しスイッチＳＷがＯＦＦ状態）のときには内蔵マイク３５ａ及び３５ｂを選択するよう切り換わり、識別電圧が「Ｌ」のときは外部マイク４２ａ及び４２ｂを選択するように切り換わる。
【００５３】
この時表示部３６には、識別電圧が「Ｈ」のときにはマイクジャック３１へは何も接続されておらず、内蔵マイク３５ａ及び３５ｂが選択されているため「内蔵マイク」の表示を行う。また、識別電圧が「Ｍ」のときには、図４に示すマイクプラグ４１（４極）を有する外部マイクが接続されているがまだ外部マイクのスイッチＳＷがＯＦＦであるため、内蔵マイクが選択されている状態であるので、「スタンバイ」の表示を行う。また、識別電圧が「Ｌ」のときには、図４に示すマイクプラグ４１が接続されスイッチＳＷがＯＮの状態、あるいは図５に示すマイクプラグ５１（３極）が接続された状態であるため、「外部マイク」の表示をする。
【００５４】
以上のように本実施の形態によれば、図４の外部マイクが接続されていて、スイッチＳＷがまだ開いている状態が「Ｍ」として識別できるので、図４のマイクプラグを有する外部マイクの「スタンバイ」状態を、表示部３６に表示することができる。使用者は「スタンバイ」の表示を見ることで、図４に示す４極の外部マイクが接続されスイッチＳＷがＯＦＦになっている状態、つまりスタンバイ状態であることを認識することができる。
【００５５】
（実施の形態４）
次に、本発明の音声入力装置の実施の形態４について説明する。なお、本実施の形態は、前述の実施の形態１の具体構成を示している。
【００５６】
図１２は本発明の音声入力装置に対応する外部マイクのブロック図である。図４および図９との相違点は、外部マイクのスイッチＳＷに直列に抵抗器Ｒ２を設け、並列に抵抗器Ｒ３を設けた点で、図４と図９の外部マイクを組み合せた構成をしている。図１３は図３の本発明の音声入力装置に図１２の外部マイクを接続したときのブロック図である。図１４は識別回路の結果による切換動作を説明するための論理表である。
【００５７】
以上のように構成された本実施の形態の音声入力装置について、以下その動作を説明する。
【００５８】
図１４の論理表に示すように、本実施の形態の識別電圧は４値の論理になる。入力切換部３３は図１４の論理表に示すように、識別回路３２からの識別電圧が「Ｈ」と「Ｍ１」のときには内蔵マイク３５ａ及び３５ｂを選択し、識別電圧が「Ｍ２」と「Ｌ」のときに外部マイク４２ａ及び４２ｂに切り換わる。なお、本実施の形態では、上記電圧値の関係をＨ＞Ｍ１＞Ｍ２＞Ｌの関係としたが、これに限るものではない。
【００５９】
表示部３６には、識別回路３２からの識別電圧が「Ｈ」のときには「内蔵マイク」の表示を、識別電圧が「Ｍ１」のときには図１２に示す外部マイクが接続されているがまだスイッチＳＷがＯＦＦであることから「スタンバイ」の表示を、識別電圧が「Ｍ２」のときには図１２に示す外部マイクが接続されていてスイッチＳＷがＯＮであることから「外部マイク１」の表示を、識別電圧が「Ｌ」のときには従来の外部マイクが接続されていることから「外部マイク２」の表示するものである。そして、「外部マイク１」が図１２に示す４極マイクプラグを有する外部マイクを示し、「外部マイク２」が図５に示す３極マイクプラグを有する外部マイクを示していることを、別途取扱説明書などで定義しておくことで、使用者は接続された外部マイクの種類（４極／３極）を判別することができる。
【００６０】
以上のように本実施の形態によれば、内蔵マイク３５ａ及び３５ｂを使っている状態と、図１２に示す外部マイク（４極）がスタンバイの状態と、図１２に示す外部マイクを使っている状態と、従来の外部マイク（３極）を使っていると状態の識別ができ、各々の状態を表示部３６に表示することができる。
【００６１】
なお、実施の形態２および実施の形態３および実施の形態４の説明で、外部マイクは左右２個のマイクから構成されるものとしたが、１個のマイクで構成しその出力をマイクプラグの音声端子（左）および音声端子（右）に分配してもよい。また、１個のマイクは無指向性のものでも単一指向性のものでもよい。
【００６２】
【発明の効果】
以上のように本発明は、内蔵マイクと、外部マイクを接続可能なマイクジャックとを装備した電子機器において、外部マイクを接続したままの状態で内蔵マイクと外部マイクの音声入力の切り換え操作を、外部マイクに装備した操作手段で可能となるため、内蔵マイクと外部マイクとの切り換えを簡単に行うことができるという優れた効果を奏するものである。
【００６３】
さらに、入力切換の状態を表示することができるため、外部マイクの接続状態、接続された外部マイクの種類、識別端子を有する外部マイクのＯＮ／ＯＦＦ状態を容易に把握することができるという優れた効果が得られる。
【図面の簡単な説明】
【図１】本発明の実施の形態１におけるビデオカメラと外部マイクの外観図
【図２】同実施の形態１におけるビデオカメラに外部マイクを接続した外観図
【図３】同実施の形態２における音声入力装置のブロック図
【図４】同実施の形態２における音声入力装置に対応した外部マイクのブロック図
【図５】同実施の形態２における従来の外部マイクのブロック図
【図６】同実施の形態２における音声入力装置に対応した外部マイクを接続したブロック図
【図７】同実施の形態２における音声入力装置に従来の外部マイクを接続したブロック図
【図８】同実施の形態２における音声入力装置の切換動作を説明するための論理表を示す図
【図９】本発明の実施の形態３における音声入力装置に対応した外部マイクのブロック図
【図１０】同実施の形態３における音声入力装置に対応した外部マイクを接続したブロック図
【図１１】同実施の形態３における音声入力装置の切換動作を説明するための論理表を示す図
【図１２】本発明の実施の形態４における音声入力装置に対応した外部マイクのブロック図
【図１３】同実施の形態４における音声入力装置に対応した外部マイクを接続したブロック図
【図１４】同実施の形態４における音声入力装置の切換動作を説明するための論理表を示す図
【図１５】従来のビデオカメラと外部マイクの外観図
【図１６】従来のビデオカメラに外部マイクを接続した外観図
【符号の説明】
１１    ビデオカメラ
１１ａ  内蔵マイク
１１ｂ  マイクジャック
１２    外部マイク
１２ａ，４１，５１  マイクプラグ
１２ｂ  操作釦
３１    マイクジャック
３１ａ，３５ａ，４１ａ，５１ａ  音声端子（左）
３１ｂ，３５ｂ，４１ｂ，５１ｂ  音声端子（右）
３１ｄ，４１ｄ  識別端子
３２    識別回路
３３    入力切換
３４ａ  内蔵マイク用マイクアンプ
３４ｂ  外部マイク用マイクアンプ
３６    表示部
４２ａ，５２ａ  外部マイク（左）
４２ｂ，５２ｂ  外部マイク（右）
【図１】
2004222131.tif 000003
【図２】
2004222131.tif 000004
【図３】
2004222131.tif 000005
【図４】
2004222131.tif 000006
【図５】
2004222131.tif 000007
【図６】
2004222131.tif 000008
【図７】
2004222131.tif 000009
【図８】
2004222131.tif 000010
【図９】
2004222131.tif 000011
【図１０】
2004222131.tif 000012
【図１１】
2004222131.tif 000013
【図１２】
2004222131.tif 000014
【図１３】
2004222131.tif 000015
【図１４】
2004222131.tif 000016
【図１５】
2004222131.tif 000017
【図１６】
2004222131.tif 000018